(57)【要約】【課題】映像サーバ装置に映像データの編集を指令する携帯情報端末装置、携帯情報端末装置から伝送された編集情報に基づいて映像データを編集する映像サーバ装置、及び携帯情報端末装置で高画質の編集を実行できる編集システムを提供する。【解決手段】本発明の携帯情報端末装置は、映像サーバ装置で記録媒体に圧縮記録した映像データを前記記録媒体から読み出し、且つ前記映像サーバ装置において前記映像データを編集するための編集情報を前記記録媒体に記録する記録媒体インターフェースと、読み出した前記映像データを表示する表示部と、前記編集情報を生成して管理する映像データ編集管理部と、を有する。【選択図】        図１
2004357035.tif 000002
【特許請求の範囲】
【請求項１】
映像サーバ装置で記録媒体に圧縮記録した映像データを前記記録媒体から読み出し、且つ前記映像サーバ装置において前記映像データを編集するための編集情報を前記記録媒体に記録する記録媒体インターフェースと、
読み出した前記映像データを表示する表示部と、
前記編集情報を生成して管理する映像データ編集管理部と、
を有することを特徴とする携帯情報端末装置。
【請求項２】
データ転送ケーブル又は無線通信を介して、映像サーバ装置が送信した圧縮された映像データを受信し、且つ前記映像サーバ装置において前記映像データを編集するための編集情報を前記映像サーバ装置に転送する通信インターフェースと、
受信した前記映像データを表示する表示部と、
前記編集情報を生成して管理する映像データ編集管理部と、
を有することを特徴とする携帯情報端末装置。
【請求項３】
前記編集情報は前記映像サーバ装置の映像データの再生リストであることを特徴とする請求項１又は請求項２に記載の携帯情報端末装置。
【請求項４】
前記編集情報は、前記映像サーバ装置において、前記映像データを編集した後、編集された前記映像データを映像記録媒体に記録保存することを指示する情報を含むことを特徴とする請求項１から請求項３のいずれかの請求項に記載の携帯情報端末装置。
【請求項５】
映像データを映像記録媒体に記録し、再生する映像記録再生部と、
前記映像記録再生部から再生され、圧縮された前記映像データを記録媒体に記録し、且つ前記映像データを編集するための編集情報を携帯情報端末装置で記録した前記記録媒体から、前記編集情報を読み出す記録媒体インターフェースと、
前記編集情報に基づいて、映像データを編集する録画データ管理部と、
を有することを特徴とする映像サーバ装置。
【請求項６】
映像データを映像記録媒体に記録し、再生する映像記録再生部と、
データ転送ケーブル又は無線通信を介して、前記映像記録再生部から再生され、圧縮された前記映像データを携帯情報端末装置に伝送し、且つ前記携帯情報端末装置が送信した、前記映像データを編集するための編集情報を受信する通信インターフェースと、
前記編集情報に基づいて、映像データを編集する録画データ管理部と、
を有することを特徴とする映像サーバ装置。
【請求項７】
前記映像記録再生部は、編集後の前記映像データを、前記編集情報の指示に従って前記映像記録媒体に記録保存することを特徴とする請求項５又は請求項６に記載の映像サーバ装置。
【請求項８】
請求項１から４のいずれかの請求項に記載の前記携帯情報端末装置と、請求項５から請求項７のいずれかの請求項に記載の前記映像サーバ装置とを有し、
前記携帯情報端末装置の前記記録媒体インターフェースが前記記録媒体から読み出す前記映像データ又は前記携帯情報端末装置の前記通信インターフェースが受信した前記映像データのデータ圧縮率が、前記映像サーバ装置の前記映像記録媒体に記録された前記映像データのデータ圧縮率より高いことを特徴とする編集システム。
【発明の詳細な説明】
【０００１】
【発明の属する技術分野】
本発明は、映像データを記録する映像サーバ装置と、その映像データを取得して表示する携帯情報端末装置、及び映像サーバ装置が有する映像データを編集する編集システムに関する。
【０００２】
【従来の技術】
特開２００１−１６９２５０号公報に従来例の携帯可能映像表示システム（携帯情報端末装置及び大容量映像サーバ装置）が記載されている。大容量映像サーバ装置は、例えばＤＶＤレコーダ又はハードディスクドライブ（ＨＤＤ）レコーダを有するパーソナルコンピュータである。携帯情報端末装置は、例えば液晶表示部付きの携帯電話、携帯型のパーソナルコンピュータ等である。
大容量映像サーバ装置は、ＤＶＤ−ＲＡＭ等に録画した映像データを、ＩＥＥＥ１３９４シリアルバスを介して、携帯情報端末装置に転送する。携帯情報端末装置は、大容量映像サーバ装置から転送された映像データを表示する。ユーザは携帯情報端末装置を使用して、場所又は時間に拘束されずに映像データの視聴を楽しむことができる。
【０００３】
【特許文献１】
特開２００１−１６９２５０号公報
【０００４】
【発明が解決しようとする課題】
従来例の携帯情報端末装置及び大容量映像サーバ装置において、大容量映像サーバ装置が有するＤＶＤメディア又はＨＤＤ等に録画した映像データを編集する場合、携帯情報端末装置で編集することができなかった。従来例の携帯情報端末装置は、大容量映像サーバ装置から伝送された映像データを表示するだけであった。映像データを編集する場合、ユーザは大容量映像サーバ装置で編集情報を生成していた。大容量映像サーバ装置が元の映像データから不要な部分を削除し、編集後の映像データをＤＶＤ−ＲＡＭ又はＤＶＤ−Ｒ等の大容量記録媒体に記録していた。
【０００５】
一方、携帯情報端末装置は小さな記憶容量の記憶部しか持っておらず、そのデータ処理能力は低い故、携帯情報端末装置で編集作業を実行することは困難であった。
本発明は、ユーザが携帯情報端末装置を通じて実効的に編集作業をすることを可能にする携帯情報端末装置及び映像サーバ装置を提供することを目的とする。
本発明は、映像サーバ装置に映像データの編集を指令する携帯情報端末装置、及び携帯情報端末装置から伝送された編集情報に基づいて映像データを編集する映像サーバ装置を提供することを目的とする。
本発明は、処理能力の低い携帯情報端末装置でユーザが高画質の編集を実行できる編集システムを提供することを目的とする。
【０００６】
【課題を解決するための手段】
上記課題を解決するため、本発明は下記の構成を有する。
請求項１に記載の発明は、映像サーバ装置で記録媒体に圧縮記録した映像データを前記記録媒体から読み出し、且つ前記映像サーバ装置において前記映像データを編集するための編集情報を前記記録媒体に記録する記録媒体インターフェースと、読み出した前記映像データを表示する表示部と、前記編集情報を生成して管理する映像データ編集管理部と、を有することを特徴とする携帯情報端末装置である。
【０００７】
請求項２に記載の発明は、データ転送ケーブル又は無線通信を介して、映像サーバ装置が送信した圧縮された映像データを受信し、且つ前記映像サーバ装置において前記映像データを編集するための編集情報を前記映像サーバ装置に転送する通信インターフェースと、受信した前記映像データを表示する表示部と、前記編集情報を生成して管理する映像データ編集管理部と、を有することを特徴とする携帯情報端末装置である。
【０００８】
請求項３に記載の発明は、前記編集情報は前記映像サーバ装置の映像データの再生リストであることを特徴とする請求項１又は請求項２に記載の携帯情報端末装置である。
【０００９】
請求項４に記載の発明は、前記編集情報は、前記映像サーバ装置において、前記映像データを編集した後、編集された前記映像データを映像記録媒体に記録保存することを指示する情報を含むことを特徴とする請求項１から請求項３のいづれかの請求項に記載の携帯情報端末装置である。
【００１０】
請求項５に記載の発明は、映像データを映像記録媒体に記録し、再生する映像記録再生部と、前記映像記録再生部から再生され、圧縮された前記映像データを記録媒体に記録し、且つ前記映像データを編集するための編集情報を携帯情報端末装置で記録した前記記録媒体から、前記編集情報を読み出す記録媒体インターフェースと、前記編集情報に基づいて、映像データを編集する録画データ管理部と、を有することを特徴とする映像サーバ装置である。
【００１１】
請求項６に記載の発明は、映像データを映像記録媒体に記録し、再生する映像記録再生部と、データ転送ケーブル又は無線通信を介して、前記映像記録再生部から再生され、圧縮された前記映像データを携帯情報端末装置に伝送し、且つ前記携帯情報端末装置が送信した、前記映像データを編集するための編集情報を受信する通信インターフェースと、前記編集情報に基づいて、映像データを編集する録画データ管理部と、を有することを特徴とする映像サーバ装置である。
【００１２】
請求項７に記載の発明は、前記映像記録再生部は、編集後の前記映像データを、前記編集情報の指示に従って前記映像記録媒体に記録保存することを特徴とする請求項５又は請求項６に記載の映像サーバ装置である。
【００１３】
請求項８に記載の発明は、請求項１から４のいずれかの請求項に記載の前記携帯情報端末装置と、請求項５から請求項７のいずれかの請求項に記載の前記映像サーバ装置とを有し、前記携帯情報端末装置の前記記録媒体インターフェースが前記記録媒体から読み出す前記映像データ又は前記携帯情報端末装置の前記通信インターフェースが受信した前記映像データのデータ圧縮率が、前記映像サーバ装置の前記映像記録媒体に記録された前記映像データのデータ圧縮率より高いことを特徴とする編集システムである。
【００１４】
本発明は、ユーザが携帯情報端末装置を通じて実効的に編集作業をすることを可能にする携帯情報端末装置及び映像サーバ装置を実現できるという作用を有する。
本発明は、映像サーバ装置に映像データの編集を指令する携帯情報端末装置、及び携帯情報端末装置から伝送された編集情報に基づいて映像データを編集する映像サーバ装置を実現できるという作用を有する。
本発明は、処理能力の低い携帯情報端末装置でユーザが高画質の編集を実行できる編集システムを実現できるという作用を有する。
【００１５】
【発明の実施の形態】
以下本発明の実施をするための最良の形態を具体的に示した実施の形態について、図面とともに記載する。
【００１６】
《実施の形態》
図１〜５を用いて、本発明の実施の形態による携帯情報端末装置、大容量映像サーバ装置及び編集システムについて説明する。図１は、本発明の実施の形態による携帯情報端末装置及び大容量映像サーバ装置の構成を示すブロック図である。
図１において、１は大容量映像サーバ装置、２は携帯情報端末装置である。大容量映像サーバ装置１は、例えば専用装置、パーソナルコンピュータ等の汎用装置である。大容量映像サーバ装置１は、録画したＴＶ番組等の映像データを記録保存している。携帯情報端末装置２は、例えば液晶表示部付きの携帯電話、携帯型のパーソナルコンピュータである。携帯情報端末装置２は、大容量映像サーバ装置１から転送された圧縮映像データを再生し、且つ大容量映像サーバ装置１の映像データの編集情報を生成する。
【００１７】
大容量映像サーバ装置１は、ＴＶ受信チューナ６、録画部７、録画データ管理部８、録画データデコーダ９、録画データ圧縮変換部１０、録画データ再圧縮変換部１１、再圧縮変換映像データ記録部１２、制御部１６、録画予約管理部１７、Ｉ／Ｆ（Ｉｎｔｅｒｆａｃｅ）モジュール１８を有する。Ｉ／Ｆモジュール１８は、メモリカードＩ／Ｆ１３、通信Ｉ／Ｆ１４、制御データ受信部１５を有する。
携帯情報端末装置２は、Ｉ／Ｆモジュール２２、映像データ管理部２３、操作Ｉ／Ｆ２４、映像データ伸張部２５、表示部２６、映像データ記録部２７、内蔵メモリ２８、映像サーバ装置操作コマンド管理部２９、ＴＶ番組録画予約データ管理部３０、映像データ編集管理部３１を有する。Ｉ／Ｆモジュール２２は、メモリカードＩ／Ｆ１９、通信Ｉ／Ｆ２０、制御データ送信部２１を有する。
【００１８】
メモリカード３等の記録媒体、又はＩＥＥＥ１３９４規格に準拠したデータ転送ケーブル４を使用して、大容量映像サーバ装置１から情報携帯端末装置２に映像データを伝送し、携帯情報端末装置２から大容量映像サーバ装置１に編集情報を伝送する。携帯情報端末装置２は、赤外線送信５を使用して、大容量映像サーバ装置１をリモートコントロールする。
本実施の形態において、大容量映像サーバ装置１はメモリカードＩ／Ｆ１３と通信Ｉ／Ｆ１４とを有し、携帯情報端末装置２はメモリカードＩ／Ｆ１９と通信Ｉ／Ｆ２０とを有する。これに代えて、大容量映像サーバ装置１及び携帯情報端末装置２は、メモリカードＩ／Ｆ、又は通信Ｉ／Ｆのいずれか一方を有するとしても良い。通信Ｉ／Ｆは、映像データを伝送可能な双方向の無線通信Ｉ／Ｆであっても良い。
【００１９】
大容量映像サーバ装置１について説明する。
ＴＶ受信チューナ６は、受信した全てのチャンネルのＴＶ放送の中から、特定のチャンネルのＴＶ番組を取り出す。
録画部７は、ＨＤＤレコーダ又はＤＶＤレコーダである。録画部７は、所望のＴＶ番組の映像データを録画して、ハードディスクドライブ（ＨＤＤ）、ＤＶＤ−ＲＡＭ、ＤＶＤ−Ｒ、ＤＶＤ−ＲＷ等の記録媒体（「大容量映像記録媒体」と呼ぶ。）に保存する。録画する映像データは、通常高画質なＭＥＰＧ２を用いるが、これに限定されるものではない。ＴＶ番組の映像データの代わりに、外部入力からの映像データを録画しても良い。録画部７は、情報携帯端末装置２から伝送された編集情報に基づいて、編集後の映像データ（録画データ管理部８が映像データの編集を実行する。）を大容量映像記録媒体に記録する。
【００２０】
録画データ管理部８は、携帯情報端末装置２からＩ／Ｆモジュール１８を介して伝送されたＴＶ番組の録画予約情報又は編集情報に基づいて、録画部７に録画又は記録の実行を指令する。録画データ管理部８は、録画部７が大容量映像記録媒体に録画した映像データの録画日時、録画の画質モード情報、録画時間、ユーザが入力したタイトル情報等の管理情報を、内部のバッファメモリ（図示していない。）に保管する。録画データ管理部８は、携帯情報端末装置２からＩ／Ｆモジュール１８を介して伝送された編集情報に基づいて、映像データを編集する。
録画データデコーダ９は、録画部７が大容量映像記録媒体から再生した映像データをデコードする。映像データを視聴する場合、外部に接続した表示装置にデコード信号を送信する。
【００２１】
携帯情報端末装置２で映像データを視聴する場合、録画データデコーダ９はデコードされた映像データを録画データ圧縮変換部１０に転送する。録画データ圧縮変換部１０は、ユーザが所望する圧縮モードを選択し、選択された圧縮モードで映像データを圧縮変換する。
録画データ再圧縮変換部１１は、録画データ圧縮変換部１０が出力する圧縮変換された映像データを入力し、選択された圧縮モードにより、更に情報量の小さい映像データに圧縮変換する（より圧縮率の高い映像データに再エンコードする。）。例えば、ＭＰＥＧ２からＭＰＥＧ４に変換する。これは、携帯情報端末装置２においては、映像データを記録するメモリの容量が小さいためである。
録画データ再圧縮変換部１１は、圧縮変換した映像データを再圧縮変換映像データ記録部１２及び通信Ｉ／Ｆ１４に出力する。
【００２２】
大容量映像サーバ装置１がＩＥＥＥ１３９４規格に準拠したデータ転送ケーブル４を使用して携帯情報端末装置２に映像データを送信する場合、録画データ再圧縮変換部１１は通信Ｉ／Ｆ１４に圧縮された映像データを出力する。
通信Ｉ／Ｆ１４は、ＩＥＥＥ１３９４規格に準拠したデータ転送ケーブル４を使用して、圧縮された映像データを携帯情報端末装置２に送信する。このとき、一旦大容量映像サーバ１内のバッファメモリ等（図示していない。）に圧縮された映像データを貯めてから転送しても構わない。通信Ｉ／Ｆ１４は、携帯情報端末装置２が送信した編集情報を受信する。
【００２３】
大容量映像サーバ装置１がメモリカード３等の記録媒体を使用して、携帯情報端末装置２に映像データを送信する場合、録画データ再圧縮変換部１１は圧縮された映像データを再圧縮変換映像データ記録部１２に出力する。再圧縮変換映像データ記録部１２は、圧縮された映像データをメモリカードＩ／Ｆ１３を介してメモリカード３（記録媒体）に記録する。メモリカード３に記録された映像データは、携帯情報端末装置２で再生される。
メモリカードＩ／Ｆ１３は、メモリカード３の挿入スロットである。
【００２４】
制御データ受信部１５は、大容量映像サーバ装置１に通常付属しているリモートコントローラからのリモートコントロール信号、及び携帯情報端末装置２からのリモートコントロール信号を受信して、制御部１６に伝送する。リモートコントロール信号は、録画データの再生又は停止、電源のＯＮ／ＯＦＦ、ＴＶ受信チューナ６のチャンネル切り替え、ＴＶ番組録画予約等を行うものである。
制御部１６は、メモリカードＩ／Ｆ１３又は通信Ｉ／Ｆ１４から携帯情報端末装置２で生成された編集情報を受信し、制御データ受信部１５からリモートコントロール信号を受信して、録画データ管理部８に伝送する。リモートコントロール信号がＴＶ番組録画予約の場合、録画予約管理部１７に予約情報（例えば録画日、録画開始時間、録画終了時間、録画チャンネル、録画の画質モード、録画記録媒体等）を伝送する。
録画予約管理部１７は、複数の録画予約情報を管理して、該当する予約日時になった時に、そのことを録画データ管理部８に伝送する。
【００２５】
携帯情報端末装置２について説明する。
メモリカードＩ／Ｆ１９は、メモリカード３の挿入スロットである。携帯情報端末装置２は、メモリカード３（大容量映像サーバ装置１で圧縮された映像データを記録している。）をメモリカードＩ／Ｆ１９に装着して、大容量映像サーバ装置２で記録された圧縮された映像データを読み出す。携帯情報端末装置２で生成した編集情報をメモリカード３に記録して、大容量映像サーバ装置１に伝送する。
通信Ｉ／Ｆ２０は、ＩＥＥＥ１３９４規格に準拠したデータ転送ケーブル４を接続して、大容量映像サーバ装置１から圧縮された映像データを受信し、携帯情報端末装置２で生成した編集情報を送信する。通信Ｉ／Ｆ２０は、受信した圧縮された映像データを映像データ記録部２７に伝送する。映像データ記録部２７は、圧縮された映像データを内蔵メモリ２８に格納する。
【００２６】
映像データ管理部２３は、メモリカード３又は内蔵メモリ２８から圧縮された映像データを読み出して、映像データ伸張部２５に引き渡す。映像データ管理部２３は、映像データの録画日時、録画の画質モード情報、録画時間、ユーザが入力したタイトル情報等の管理情報を保管する。その管理情報をもとに、所望の映像データを選択する。
映像データ伸張部２５は、受け取った映像データを再生して表示部２６に伝送する。表示部２６は、再生映像を表示する。
【００２７】
ユーザは操作Ｉ／Ｆ２４を使用して、大容量映像サーバ装置１のリモートコントロール、携帯情報端末装置２の映像データの再生操作（再生、サーチ、停止等）、映像データの編集情報の生成を行う。操作Ｉ／Ｆ２４は、ユーザが指示した操作を映像データ管理部２３、映像サーバ装置操作コマンド管理部２９、ＴＶ番組録画予約データ管理部３０、映像データ編集管理部３１にそれぞれ伝送する。
【００２８】
リモートコントロールは、大容量映像サーバ装置１の録画データの再生又は停止、電源のＯＮ／ＯＦＦ、ＴＶ受信チューナ６のチャンネル切り替え、ＴＶ番組録画予約等である。
リモートコントロール信号がＴＶ番組録画予約でない場合、操作Ｉ／Ｆ２４はユーザが指示した操作を映像サーバ装置操作コマンド管理部２９に伝送する。映像サーバ装置操作コマンド管理部２９は、ユーザが所望するリモートコントロール操作を大容量映像サーバ装置１が解釈できる操作コマンドに変換し、制御データ送信部２１に伝送する。
リモートコントロール信号がＴＶ番組録画予約である場合、操作Ｉ／Ｆ２４はユーザが指示した操作をＴＶ番組録画予約データ管理部３０に伝送する。ＴＶ番組録画予約データ管理部３０は、入力した予約情報を大容量映像サーバ装置１が解釈できるコマンドに変換し、制御データ送信部２１に伝送する。予約情報は、例えば録画日、録画開始時間、録画終了時間、録画チャンネル、録画の画質モード、録画記録媒体等の予約設定である。
制御データ送信部２１は、赤外線送信５を使用して、大容量映像サーバ装置１にリモートコントロール信号を送信する。
【００２９】
映像データ編集管理部３１は、操作Ｉ／Ｆ２４を通じて入力されて、生成された映像データの編集情報を管理する。映像データ編集管理部３１は、編集情報を選別した後、メモリカードＩ／Ｆ１９（メモリカード３）又は通信Ｉ／Ｆ２０を介して、その編集情報を大容量映像サーバ装置１に転送する。
本発明において、携帯情報端末装置２における編集とは、携帯情報端末装置２が有する映像データ自体を編集するものではない。ユーザが操作Ｉ／Ｆ２４を通じて、例えば携帯情報端末装置２で視聴した映像データの中の不要な部分を削除して保存する指示（編集情報）を入力したとする。この時、携帯情報端末装置２が実際に編集作業を行うのではなく、その編集情報がＩ／Ｆモジュール２２及び１８を通じて大容量映像サーバ装置１に伝送される。
【００３０】
携帯情報端末装置２は、その編集情報を、操作Ｉ／Ｆ２４を介して作成する。編集情報は、映像データの不要な部分の開始位置及び終了位置、又は残したい部分の開始位置及び終了位置を含む。更に、編集後の映像データをＤＶＤメディア等の記録媒体（大容量映像記録媒体）に記録保存するか否かの情報を含む。編集情報を携帯情報端末装置２上で作成して、大容量映像サーバ装置１に転送する。大容量映像サーバ装置１は、その編集情報に基づいて録画データを編集し、編集後の映像データをＤＶＤメディア等の大容量記録媒体に記録保存する。
【００３１】
大容量映像サーバ装置１において、録画部７は、ユーザが編集を指示した映像データと同じ映像データを大容量映像記録媒体から再生する。再生された映像データは、録画データ圧縮変換部１０及び録画データ再圧縮変換部１１で圧縮変換される前の高品位の映像データである。録画データ管理部８は、編集情報に従ってその高品位の映像データを編集する。即ち、録画データ管理部８は高品位の映像データの中の不要な部分を削除する。編集情報が編集された映像データを保存することを指示する場合は、録画部７は編集された映像データを大容量映像記録媒体に保存する。
【００３２】
図２は、大容量映像サーバ装置１が録画したＴＶ番組を携帯情報端末装置２で表示する方法のフローチャートである。大容量映像サーバ装置１は、ステップ２０１〜２０５を処理する。携帯情報端末装置２は、ステップ２０６〜２０８を処理する。図２において、大容量映像サーバ装置１と携帯情報端末装置２は、メモリカード３を介してデータを伝送する。
大容量映像サーバ装置１の録画予約管理部１７は、大容量映像サーバ装置１に付属しているリモートコントローラ又は携帯情報端末装置２から伝送されたＴＶ番組録画予約情報を管理している。録画予約管理部１７は、録画日の録画開始時間になると録画データ管理部８に通知する。録画データ管理部８は、録画予約情報に基づいて、録画部７に録画の実行を指令する。録画部７は、所望のＴＶ番組の映像データを録画して（ステップ２０１）、ハードディスクドライブ、ＤＶＤ−ＲＡＭ、ＤＶＤ−Ｒ、ＤＶＤ−ＲＷ等の記録媒体に保存する。
【００３３】
録画データデコーダ９は、録画部７が大容量映像記録媒体から再生した映像データをデコードする（ステップ２０２）。
録画データ圧縮変換部１０及び録画データ再圧縮変換部１１は、ユーザが所望する圧縮モードを選択し（ステップ２０３）、選択された圧縮モードで映像データを圧縮変換及び再圧縮変換する（ステップ２０４）。
再圧縮変換映像データ記録部１２は、圧縮変換及び再圧縮変換された映像データをメモリカードＩ／Ｆ１３に装着されたメモリカード３に記録する（ステップ２０５）。
【００３４】
メモリカード３を大容量映像サーバ装置１から引き抜いて、携帯情報端末装置２に差し込む。
携帯情報端末装置２の映像データ管理部２３は、メモリカードＩ／Ｆ１９に装着されたメモリカード３から映像データを読み出して（ステップ２０６）、映像データ伸張部２５に伝送する。
映像データ伸張部２５は、受け取った映像データをデコード（伸張）する（ステップ２０７）。表示部２６は、再生映像を表示する（ステップ２０８）。処理を終了する。
【００３５】
図３〜５を用いて、携帯情報端末装置２が編集情報を生成し、その編集情報に基づいて大容量映像サーバ装置１が映像データを編集し、記録保存する処理について説明する。図３は、映像データを編集する方法のフローチャートである。図４は、元の映像データを残しておく編集方法（「再生リスト」又は「プレイリスト」と呼ぶ。）の概要説明図である。図５は、元の映像データ自体を編集して、元の映像データを残さない編集方法（「部分削除編集」と呼ぶ。）の概要説明図である。
【００３６】
図４を用いて、再生リスト編集を説明する。４０１は、大容量映像サーバ装置１に録画されている、ある１番組の映像データの全体時間を示したものである。元の映像データ４０１の中で、Ａ−Ａ’、Ｂ−Ｂ’、Ｃ−Ｃ’、Ｄ−Ｄ’の部分が必要な映像データ（再生されるべき映像データ）である。この場合、番組の識別情報と、必要な映像データの各開始時間（Ａ、Ｂ、Ｃ、Ｄ）と、必要な映像データの各終了時間（Ａ’、Ｂ’、Ｃ’、Ｄ’）とを指定する再生リスト４０２が編集情報として生成される。ユーザが携帯情報端末装置２から大容量映像サーバ装置１にその再生リストに従った映像データの出力指示をすると、大容量映像サーバ装置１は映像データのＡ−Ａ’Ｂ−Ｂ’Ｃ−Ｃ’Ｄ−Ｄ’の区間を連続して再生する。これにより、ユーザは所望の番組の所望の部分だけを視聴することができる。再生リスト編集は再生順序を決めて再生しているだけなので、４０３のように編集後も元の映像データは不変である。
説明では編集情報として、開始時間、終了時間のように時間を用いたが、時間に限定されるものではなく、フレーム番号又は画像コマ番号等、位置の分かるものであればどのような情報を用いても良い。
【００３７】
図５を用いて、部分削除編集を説明する。５０１は、大容量映像サーバ装置１に録画されている、ある１番組の映像データの全体時間を示したものである。元の映像データ５０１の中で、Ａ−Ａ’、Ｂ−Ｂ’、Ｃ−Ｃ’の部分が不要な映像データである。この場合編集情報は、番組の識別情報と、不要な映像データの各開始時間（Ａ、Ｂ、Ｃ）と、不要な映像データの各終了時間（Ａ’、Ｂ’、Ｃ’）とを指定する。録画データ管理部８は、編集情報に従って、これらの部分を削除する。これにより、５０２に示すように、不要な部分が削除された映像データが生成される。録画部７は、不要な部分が削除された映像データを大容量映像記録媒体に記録する。部分削除編集は、元の映像データよりもデータサイズを小さくできる。ただし、一度削除された部分は復帰できない。
説明では編集情報として、開始時間、終了時間のように時間を用いたが、時間に限定されるものではなく、フレーム番号又は画像コマ番号等、位置の分かるものであればどのような情報を用いても良い。
【００３８】
図３を用いて、本発明の実施の形態の映像データを編集する方法を説明する。図３は映像データを編集する方法のフローチャートである。携帯情報端末装置２は、ステップ３０１〜３０４、３０６、３０７を処理する。大容量映像サーバ装置１は、ステップ３０５、３０８〜３１０を処理する。
携帯情報端末装置２の表示部２６は、ユーザが所望する編集したい映像データを表示する（ステップ３０１）。
編集するための編集情報を作成する際に、ユーザは、大容量映像サーバ装置１に保存されている元の映像データを残しておくか否か選択する（ステップ３０２）。
【００３９】
元の映像データを残す場合、再生リスト編集を行う（ステップ３０３〜３０５、図４）。ユーザは、携帯情報端末装置２で映像データを視聴しながら、操作Ｉ／Ｆ２４を介して、映像データの必要な部分の開始位置／終了位置をマーキングする（ステップ３０３）。マーキングは、映像データを所望の位置で静止状態にして、決定ボタン操作等で行う。
映像データ編集管理部３１は、操作Ｉ／Ｆ２４から伝送される信号を入力し、編集情報を生成する。映像データ管理部３１は、メモリカードＩ／Ｆ１９又は通信Ｉ／Ｆ２０を経由して、大容量映像サーバ装置１にマーキングした編集情報を転送する（ステップ３０４）。
大容量映像サーバ装置１は、メモリカードＩ／Ｆ１３又は通信Ｉ／Ｆ１４を経由して、編集情報を受信する。制御部１６は、編集情報を録画データ管理部８に伝送する。録画データ管理部８は、編集情報を再生リストに登録する（ステップ３０５）。
【００４０】
録画データ管理部８は、編集情報を読み出して、編集後の映像データを記録媒体に保存するか否かを判断する（ステップ３０９）。映像データを記録媒体に保存する場合、編集後の映像データを記録することを録画部７に指令する。大容量映像サーバ装置１の録画部７が記録容量を満たすＤＶＤメディア等の記録媒体をセットしていれば、録画部７はセットされたＤＶＤメディアに編集後の映像データを自動的に記録保存する（ステップ３１０）。録画部７が記録媒体をセットしていなければ、記録媒体をセットした後、編集後の映像データを記録保存する。編集後の映像データを記録媒体に保存しない場合、処理を終了する。
【００４１】
ステップ３０２において、元の映像データを残さない場合、部分削除編集を行う（ステップ３０６〜３０８、図５）。ユーザは、映像データを視聴しながら、操作Ｉ／Ｆ２４を介して、映像データの不要な部分の開始位置／終了位置をマーキングしていく（ステップ３０６）。マーキングは、映像データを所望の位置で静止状態にして、決定ボタン操作等で行う。
映像データ編集管理部３１は、操作Ｉ／Ｆ２４から伝送される信号を入力し、編集情報を生成する。映像データ管理部３１は、メモリカードＩ／Ｆ１９又は通信Ｉ／Ｆ２０を経由して、大容量映像サーバ装置１にマーキングした編集情報を転送する（ステップ３０７）。
【００４２】
大容量映像サーバ装置１は、メモリカードＩ／Ｆ１３又は通信Ｉ／Ｆ１４を経由して、編集情報を受信する。制御部１６は、編集情報を録画データ管理部８に伝送する。録画データ管理部８は、編集情報に基づいて録画部７のＨＤＤ等の記録媒体に保存されている元の映像データを編集する（ステップ３０８）。編集は、元の映像データから不要な部分を削除する。
大容量映像サーバ装置１の録画部７が記録容量を満たすＤＶＤメディア等の記録媒体をセットしていれば、録画部７はセットされたＤＶＤメディアに編集後の映像データを自動的に記録保存する（ステップ３１０）。録画部７が記録媒体をセットしていなければ、記録媒体をセットした後、編集後の映像データを記録保存する。
部分削除編集においても、録画部７が大容量映像記録媒体の映像データを書き換えるか否かを判断するステップ３０９を実行しても良い。編集後の映像データを記録媒体に保存しない場合、処理を終了する。
【００４３】
ユーザが操作Ｉ／Ｆ２４を通じて携帯情報端末装置２から大容量映像サーバ装置１に編集後の映像データの送信を要求すると、再生リストに従って編集された映像データ、又は記録された編集後の映像データを取得し、視聴することが出来る。
携帯情報端末装置２と大容量映像サーバ装置１のそれぞれの映像データは、異なるデータサイズになっているため、絶対的なフレーム番号又はコマ番号にずれが生じる。従って、携帯情報端末装置２で編集した編集情報は、そのまま大容量映像サーバ装置１の映像データに反映させることができない。ただし、再生の経過時間に関しては、双方の映像データともほぼ同じであるので、編集情報の要素として時間情報を用いれば、多少の補正を行うことによって、双方の映像データに互換のある編集情報を比較的容易に扱える。編集情報にフレーム番号又はコマ番号を用いる場合は、最終的に時間情報に置き換えて、編集情報の互換を持たせてもよい。
なお、編集情報の互換補正は、大容量映像サーバ装置１の制御部１６が行う。これに代えて、携帯情報端末装置２の映像データ編集管理部３１が行っても良い。
なお、時間情報以外に適当な方法があれば、時間情報に限定するものではない。
【００４４】
【発明の効果】
本発明によれば、場所又は時間に拘束されずに、大容量映像サーバ装置に保存された映像データを視聴する携帯情報端末装置を実現できるという有利な効果が得られる。
本発明によれば、場所又は時間に拘束されずに、大容量映像サーバ装置に保存された映像データを編集するための編集情報を生成する携帯情報端末装置を実現できるという有利な効果が得られる。
本発明によれば、大容量映像サーバ装置の映像データを携帯情報端末装置に転送前の高い品質で編集するための編集情報を生成する携帯情報端末装置を実現できるという有利な効果が得られる。
本発明によれば、ユーザが携帯情報端末装置から大容量映像サーバ装置に編集後の映像データの送信を要求すると、再生リストに従って編集された映像データ、又は記録された編集後の映像データを取得し、視聴することが出来る携帯情報端末装置を実現できるという有利な効果が得られる。
【００４５】
本発明によれば、大容量映像サーバ装置の映像データの不要な部分を削除して保存するための（部分削除編集のための）編集情報を生成する携帯情報端末装置を実現できるという有利な効果が得られる。
本発明によれば、編集情報のみを大容量映像サーバ装置に転送することにより、転送データ量を軽減して短時間に編集情報の転送が行える携帯情報端末装置を実現できるという有利な効果が得られる。
本発明によれば、携帯情報端末装置から転送された編集情報に従って、映像データを編集する大容量映像サーバ装置を実現できるという有利な効果が得られる。
本発明によれば、携帯情報端末装置から転送された編集情報に従って、編集後の映像データをＤＶＤメディア等の大容量映像記録媒体に記録保存する大容量映像サーバ装置を実現できるという有利な効果が得られる。
本発明によれば、簡単に且つ時間にとらわれずに映像データのライブラリを作成する大容量映像サーバ装置を実現できるという有利な効果が得られる。
本発明によれば、処理能力の低い携帯情報端末装置でユーザが高画質の編集を実行できる編集システムを実現できるという有利な効果が得られる。
【図面の簡単な説明】
【図１】本発明の実施の形態による携帯情報端末装置及び大容量映像サーバ装置の構成を示すブロック図
【図２】本発明の実施の形態における、大容量映像サーバ装置１が録画したＴＶ番組を携帯情報端末装置２で表示する方法のフローチャート
【図３】本発明の実施の形態における映像データを編集する方法のフローチャート
【図４】元の映像データを残しておく編集方法の概要説明図
【図５】元の映像データを残さない編集方法の概要説明図
【符号の説明】
１    大容量映像サーバ装置
２    携帯情報端末装置
３    メモリカード
４    データ転送ケーブル
５    赤外線送信
６    ＴＶ受信チューナ
７    録画部
８    録画データ管理部
９    録画データデコーダ
１０  録画データ圧縮変換部
１１  録画データ再圧縮変換部
１２  再圧縮変換映像データ記録部
１３  メモリカードＩ／Ｆ
１４  通信Ｉ／Ｆ
１５  制御データ受信部
１６  制御部
１７  録画予約管理部
１８  Ｉ／Ｆモジュール
１９  メモリカードＩ／Ｆ
２０  通信Ｉ／Ｆ
２１  制御データ送信部
２２  Ｉ／Ｆモジュール
２３  映像データ管理部
２４  操作Ｉ／Ｆ
２５  映像データ伸張部
２６  表示部
２７  映像データ記録部
２８  内蔵メモリ
２９  映像サーバ装置操作コマンド管理部
３０  ＴＶ番組録画予約データ管理部
３１  映像データ編集管理部
【図１】
2004357035.tif 000003
【図２】
2004357035.tif 000004
【図３】
2004357035.tif 000005
【図４】
2004357035.tif 000006
【図５】
2004357035.tif 000007